(57)【要約】【課題】電磁制御弁の電磁力を変えたとき、圧縮容量が時間遅れなく速やかに所定値になるレスポンスの速い冷凍サイクルの圧縮容量制御装置を提供すること。【解決手段】調圧室１２の圧力と吐出室４の圧力との差圧を所定の設定差圧に保つように、クランク室１２と吐出室４との間を連通及び閉塞する容量制御弁２０を設け、容量制御弁２０の電磁力を変化させることにより設定差圧が変化して冷媒の吐出量が制御されるようにした。【選択図】図１
2008032026.tif 000002
【特許請求の範囲】
【請求項１】
低圧冷媒管路に通じる吸入室から吸入した冷媒を圧縮して高圧冷媒管路に通じる吐出室に吐出し、調圧室の圧力変化により上記冷媒の吐出量を変化させる容量可変圧縮機、を有する冷凍サイクルの圧縮容量制御装置において、
上記調圧室と上記吐出室との間を連通及び閉塞する電磁制御弁を設け、
上記電磁制御弁は、圧縮コイルスプリングによって開き方向に付勢されている弁体が上記調圧室の圧力と上記吐出室の圧力との差圧に基づいて上記調圧室と上記吐出室との間を連通及び閉塞することにより上記調圧室の圧力を変化させ、これによって、上記差圧が、上記電磁制御弁の電磁力を変化させることにより設定される設定差圧に維持されるようにしたことを特徴とする冷凍サイクルの圧縮容量制御装置。
【請求項２】
上記調圧室が気密に形成されたクランク室であり、そのクランク室内で回転軸に対して傾斜角可変に設けられて上記回転軸の回転運動によって駆動されて揺動運動をする揺動体と、上記揺動体に連結されて往復動することにより上記吸入室からシリンダ内に吸入した冷媒を圧縮して上記吐出室に吐出するピストンとを有する請求項１記載の冷凍サイクルの圧縮容量制御装置。
【請求項３】
低圧冷媒管路に通じる吸入室から吸入した冷媒を圧縮して高圧冷媒管路に通じる吐出室に吐出し、調圧室の圧力変化により上記冷媒の吐出量を変化させる容量可変圧縮機の容量制御弁において、
上記吐出室に連通する第１の空間と上記調圧室に連通する第２の空間との間に形成された弁座と、
上記第２の空間にて上記弁座に対向して開閉するように配置された弁体と、
上記弁体を開き方向に付勢する圧縮コイルスプリングと、
電磁力によって上記弁体を閉じ方向に付勢することにより上記吐出室の圧力と上記調圧室の圧力との差圧が一定に維持されるべき設定差圧を設定する電磁ソレノイドと、
を備えていることを特徴とする容量可変圧縮機の容量制御弁。
【発明の詳細な説明】
【技術分野】
【０００１】
この発明は、自動車用空調装置等に用いられる冷凍サイクルの圧縮容量制御装置に関する。
【背景技術】
【０００２】
自動車用空調装置の冷凍サイクルに用いられる圧縮機は、エンジンにベルトで直結されているので回転数制御を行うことができない。そこで、エンジンの回転数に制約されることなく適切な冷房能力を得るために、圧縮容量（吐出量）を変えることができる容量可変圧縮機が用いられている。
【０００３】
容量可変圧縮機としては、いわゆる斜板式、ロータリー式、スクロール式などがあるが、ここでは、気密に形成されたクランク室内で傾斜角可変に設けられた揺動板を回転させてピストンを往復動させるようにした、いわゆる斜板式を例にとって説明する。
【０００４】
斜板式の容量可変圧縮機は、内圧が変化すると圧縮機の容量を変化させるように作用するクランク室が圧縮容量制御のための調圧室になっており、吸入圧力（Ｐｓ）の変化に対応してクランク室圧力（Ｐｃ）を自動制御して容量を変化させるようになっている。
【０００５】
しかし、そのように吸入圧力（Ｐｓ）を基準にした容量制御を行うためには、圧縮容量制御装置にダイアフラム又はベローズのような可撓性膜材を可動に配置しなければならないので、装置が大がかりになり、装置コストも高いものになる。
【０００６】
そこで、クランク室圧力（Ｐｃ）と吸入圧力（Ｐｓ）との差圧を所定の差圧に保つようにクランク室と吸入室との間を連通及び閉塞する電磁制御弁を設け、その電磁制御弁の電磁力を変化させることにより差圧が変化して圧縮容量が制御されるようにしたものがある（特開平５−８７０４７号）。そのようにすることにより、シンプルで簡単な構造になり、装置コストも低減される。
【発明の開示】
【発明が解決しようとする課題】
【０００７】
図２は、冷凍サイクルの「エンタルピ−冷媒圧力」の特性を示す線図であるが、クランク室圧力（Ｐｃ）と吸入圧力（Ｐｓ）との差圧（Ｐｃ−Ｐｓ）に基づいて圧縮機の容量を制御すると、それによって吐出圧力（Ｐｄ）が変化し、それによってさらにクランク室圧力（Ｐｃ）と吸入圧力（Ｐｓ）との差圧（Ｐｃ−Ｐｓ）が変化するという制御が、冷凍サイクル全体を系とするフィードバック制御により繰り返される。そのため、電磁制御弁の電磁力を変えたとき、吐出量が所定値になるまでに時間遅れが発生し、圧縮容量制御が迅速に行われない欠点がある。
【０００８】
そこで本発明は、電磁制御弁の電磁力を変えたとき、圧縮容量が時間遅れなく速やかに所定値になるレスポンスの速い冷凍サイクルの圧縮容量制御装置を提供することを目的とする。
【課題を解決するための手段】
【０００９】
上記の目的を達成するため、本発明の冷凍サイクルの圧縮容量制御装置は、低圧冷媒管路に通じる吸入室から吸入した冷媒を圧縮して高圧冷媒管路に通じる吐出室に吐出し、調圧室の圧力変化により冷媒の吐出量を変化させる容量可変圧縮機、を有する冷凍サイクルの圧縮容量制御装置において、調圧室と吐出室との間を連通及び閉塞する電磁制御弁を設け、電磁制御弁は、圧縮コイルスプリングによって開き方向に付勢されている弁体が調圧室の圧力と吐出室の圧力との差圧に基づいて調圧室と吐出室との間を連通及び閉塞することにより調圧室の圧力を変化させ、これによって、差圧が、電磁制御弁の電磁力を変化させることにより設定される設定差圧に維持されるようにしたものである。
【００１０】
なお、調圧室が気密に形成されたクランク室であり、そのクランク室内で回転軸に対して傾斜角可変に設けられて回転軸の回転運動によって駆動されて揺動運動をする揺動体と、揺動体に連結されて往復動することにより吸入室からシリンダ内に吸入した冷媒を圧縮して吐出室に吐出するピストンとを有するものであってもよい。
【発明の効果】
【００１１】
本発明によれば、調圧室の圧力と吐出室の圧力との差圧を所定の差圧に保つように、調圧室と吐出室との間を連通及び閉塞する電磁制御弁を設け、電磁制御弁の電磁力を変化させることにより設定差圧が変化して冷媒の吐出量が制御されるようにしたことにより、容量制御が行われることによって変動する吐出圧力自体の大きさに基づいて制御が行われ、圧縮機部分だけでフィードバック制御が行われるので、電磁制御弁の電磁力を変えたとき、圧縮容量が時間遅れなく速やかに所定値になりレスポンスの速い圧縮容量制御を行うことができる。
【発明を実施するための最良の形態】
【００１２】
図面を参照して本発明の実施の形態を説明する。
図１において、１０は斜板式の容量可変圧縮機であり、自動車の空調用冷凍サイクルに用いられているものである。冷媒としては、一般的なＲ１３４Ａ等が用いられるが、二酸化炭素を冷媒とする冷凍サイクルに本発明を適用してもよい。
【００１３】
１１は、気密に構成されたクランク室１２（調圧室）内に配置され、駆動プーリ１３によって回転駆動される回転軸であり、回転軸１１に対して傾斜してクランク室１２内に配置された揺動板１４が、回転軸１１の回転にしたがって揺動する。
【００１４】
クランク室１２内の周辺部に配置されたシリンダ１５内には、ピストン１７が往復動自在に配置されており、ロッド１８によってピストン１７と揺動板１４とが連結されている。
【００１５】
したがって、揺動板１４が揺動すると、ピストン１７がシリンダ１５内で往復動して、吸入室３からシリンダ１５内に低圧（吸入圧力Ｐｓ）の冷媒が吸入され、その冷媒がシリンダ１５内で圧縮されて、高圧（吐出圧力Ｐｄ）になった冷媒が吐出室４に吐出される。
【００１６】
吸入室３には、その上流側の蒸発器（図示せず）側から吸入管路１を経由して冷媒が送り込まれ、吐出室４からはその下流側の凝縮器（図示せず）側へ吐出管路２を経由して高圧冷媒が送り出される。
【００１７】
揺動板１４の傾斜角度はクランク室１２の圧力（Ｐｃ）によって変化し、揺動板１４の傾斜角度によってシリンダ１５からの冷媒の吐出量（即ち、圧縮容量）が変化する。
２０は、クランク室圧力（Ｐｃ）を自動制御して圧縮容量制御を行うための電磁ソレノイド制御の容量制御弁（電磁制御弁）である。２１は電磁コイル、２２は固定鉄芯である。
【００１８】
可動鉄芯２３と弁体２５は、固定鉄芯２２内を通過する状態に配置されて軸線方向に進退自在なロッド２４によって連結され、両端側から圧縮コイルスプリング２７，２８によって付勢されている。２９は、シール用のＯリングである。
【００１９】
弁座２６は、クランク室１２に連通するクランク室連通路５と吐出室４に連通する吐出室連通路６との間に形成されており、弁体２５がクランク室連通路５側から弁座２６に対向して配置されている。なお、クランク室連通路５と吸入管路１との間は、細いリーク路７を介して連通している。
【００２０】
このような構成により、弁体２５には吐出圧力（Ｐｄ）とクランク室圧力（Ｐｃ）との差圧（Ｐｄ−Ｐｃ）が開き方向に作用し、閉じ方向には、容量制御弁２０の電磁力（圧縮コイルスプリング２７，２８の付勢力を含む）が作用する。
【００２１】
したがって、電磁コイル２１への通電電流値が一定で容量制御弁２０の電磁力が一定の状態では、吐出圧力（Ｐｄ）とクランク室圧力（Ｐｃ）の差圧（Ｐｄ−Ｐｃ）の変動に伴って弁体２５が開閉されて差圧（Ｐｄ−Ｐｃ）が一定に維持され、それによってクランク室圧力（Ｐｃ）が吐出圧力（Ｐｄ）に対応する値に制御され、圧縮容量（吐出量）が一定に維持される。
【００２２】
そして、電磁コイル２１への通電電流値を変化させて容量制御弁２０の電磁力を変えると、それに対応して、一定に保たれる差圧（Ｐｄ−Ｐｃ）が変化し、それによって圧縮容量（吐出量）が異なるレベルで一定に維持された状態になる。
【００２３】
即ち、容量制御弁２０の電磁力が小さくされると、一定に保たれる差圧（Ｐｄ−Ｐｃ）が小さくなるので、クランク室圧力（Ｐｃ）が吐出圧力（Ｐｄ）に近づく方向に上昇し、吐出量が小さくなる。
【００２４】
逆に、容量制御弁２０の電磁力が大きくされると、一定に保たれる差圧（Ｐｄ−Ｐｃ）が大きくなるので、クランク室圧力（Ｐｃ）が吐出圧力（Ｐｄ）から遠ざかる方向に下がり、吐出量が大きくなる。
【００２５】
このようにして吐出圧力（Ｐｄ）とクランク室圧力（Ｐｃ）との差圧（Ｐｄ−Ｐｃ）に基づいて行われる圧縮容量制御は、容量制御が行われることにより直接変動する吐出圧力（Ｐｄ）自体の大きさに基づいているので、圧縮機１０部分だけでフィードバック制御が行われる。その結果、電磁コイル２１への通電電流値が変わったとき吐出量が所定値になるまでに時間遅れがなく、迅速な圧縮容量制御が行われる。
【００２６】
電磁コイル２１への通電電流値の制御は、エンジン、車室内外の温度、蒸発器センサその他各種条件を検知する複数のセンサからの検知信号が、ＣＰＵ等を内蔵する制御部４０に入力され、その演算結果に基づく制御信号が制御部４０から電磁コイル２１に送られて行われる。なお、電磁コイル２１の駆動回路は図示が省略されている。
【図面の簡単な説明】
【００２７】
【図１】本発明の第１の実施の形態の冷凍サイクルの圧縮容量制御装置の全体構成を示す縦断面図である。
【図２】冷凍サイクルの「エンタルピ−冷媒圧力」の特性を示す線図である。
【符号の説明】
【００２８】
１  吸入管路
２  吐出管路
３  吸入室
４  吐出室
５  クランク室連通路
６  吐出室連通路
１０  圧縮機
１２  クランク室（調圧室）
２０  容量制御弁（電磁制御弁）
２１  電磁コイル
２２  固定鉄芯
２３  可動鉄芯
２５  弁体
２６  弁座
２８  圧縮コイルスプリング
【図１】
2008032026.tif 000003
【図２】
2008032026.tif 000004